(57)【要約】【課題】防寒機能に優れた育児器具の座席形成部材を提供する。【解決手段】乳母車の座席ハンモック１は、座部２と、背もたれ部３と、身体カバー１０とを備える。身体カバー１０は、座部２の両側縁２ａおよび背もたれ部３の両側縁３ａから中央に向かって延在して座部２および背もたれ部３を覆う。【選択図】        図１
2004224282.tif 000002
【特許請求の範囲】
【請求項１】
座部と、
背もたれ部と、
前記座部の両側縁および前記背もたれ部の両側縁から中央に向かって延在して前記座部および前記背もたれ部を覆う身体カバーとを備えた、育児器具の座席形成部材。
【請求項２】
前記背もたれ部は、その両側縁から起立した１対の側壁を含み、
前記身体カバーは、前記１対の側壁の上端部から中央に向かって延在している、請求項１に記載の育児器具の座席形成部材。
【請求項３】
前記身体カバーは、前記背もたれ部の１対の側壁および背もたれ面に沿って延在している、請求項２に記載の育児器具の座席形成部材。
【請求項４】
前記身体カバーの前方端縁と前記座部の前方端縁とは、開放可能に接続されている、請求項１〜３のいずれかに記載の育児器具の座席形成部材。
【請求項５】
前記身体カバーは、前記座部および背もたれ部に着脱可能に接続されている、請求項１〜４のいずれかに記載の育児器具の座席形成部材。
【請求項６】
前記身体カバーの両側縁と、前記座部および前記背もたれ部の両側縁とは、着脱可能に接続されている、請求項５に記載の育児器具の座席形成部材。
【請求項７】
前記身体カバーの上方端縁は、Ｕ字状に切り込まれた首部と、この首部の上方端から両側方に延びて前記背もたれ部の上方端縁に接続される上端接続部とを含む、請求項１〜６のいずれかに記載の育児器具の座席形成部材。
【請求項８】
前記身体カバーは、その上方端縁から下方に向かって切り込まれた切り込み部を有し、
前記切り込み部によって左右に分かれる部分は、着脱可能に接続されている、請求項１〜７のいずれかに記載の育児器具の座席形成部材。
【請求項９】
前記身体カバーは、その上方端縁中央から下方に向かって延びているスライドファスナを含む、請求項８に記載の育児器具の座席形成部材。
【請求項１０】
前記身体カバーは、その上方端縁からＵ字状に切り込まれた首部を有し、
前記首部を除く前記身体カバーの周縁は、前記座部および前記背もたれ部に着脱可能に接続されている、請求項１〜９のいずれかに記載の育児器具の座席形成部材。
【請求項１１】
前記座席形成部材は、乳母車の車体に取付けられて座席を形成する座席ハンモックである、請求項１〜１０のいずれかに記載の育児器具の座席形成部材。
【請求項１２】
身体カバーは、乳母車に装備された股ベルトおよび腰ベルトを挿通させるためのスリットを有する、請求項１１に記載の育児器具の座席形成部材。
【請求項１３】
前記身体カバーは、その上方端縁から股ベルト挿通用スリットにまで切り込まれた切り込み部を有し、
前記切り込み部によって左右に分かれる部分は、着脱可能に接続されている、請求項１２に記載の育児器具の座席形成部材。
【発明の詳細な説明】
【０００１】
【発明の属する技術分野】
この発明は、乳母車、チャイルドシート等の育児器具の座席形成部材に関し、特に防寒機能に優れた座席形成部材に関するものである。
【０００２】
【従来の技術】
寒い季節に子供を乳母車に乗せて外出する場合、子供を寒さから守ってやる必要がある。そのため、一般的には、座席に着座している子供の上から毛布などの防寒布をかぶせることが行なわれている。
【０００３】
ところが、子供は座席上でよく身体を動かすので、毛布が落ちたり、ずれたりして防寒が不十分となる。また、乳母車を折畳む際には、折畳み動作に支障を来たさないように毛布を外しておかなければならない。
【０００４】
実開平６−７１３６６号公報には、乳母車の座席からずれ落ちない防寒具が開示されている。この防寒具は、暖布を２枚重ねて縫い合わせたものであり、その上端部に取付けられた紐を用いて、乳母車の車体に接続されている。防寒具は乳母車の座席上に延在し、子供の両脚部分は暖布の２枚重ね部分に入れられる。
【０００５】
【特許文献１】
実開平６−７１３６６号公報
【０００６】
【発明が解決しようとする課題】
実開平６−７１３６６号公報に開示された防寒具は、乳母車の座席形成部材とは別個に用意されたものである。そのため、部品点数が多くなり、座席形成部材への取付けの作業も煩雑である。さらに、乳母車の座席形成部材とは別個に用意されたものであるので、例えば、乳母車の折畳み動作に支障を来たすおそれがある。仮に、防寒具を取付けた状態のままで乳母車を折畳めたとしても、乳母車を開いたときには防寒具の位置は、ずれてしまっている可能性がある。
【０００７】
また、実開平６−７１３６６号公報に開示された防寒具は、子供の両脚部分のみを保温するものであり、防寒が不十分である。
【０００８】
この発明の目的は、防寒機能に優れた育児器具の座席形成部材を提供することである。特に、育児器具の開状態および折畳み状態の両状態において、さらに両状態間の移行動作をするにあたって、位置の調整を不要にできる座席形成部材を提供しようとするものである。
【０００９】
【課題を解決するための手段】
この発明に従った育児器具の座席形成部材は、座部と、背もたれ部と、座部の両側縁および背もたれ部の両側縁から中央に向かって延在してこれらの座部および背もたれ部を覆う身体カバーとを備える。
【００１０】
上記の構成によれば、座席形成部材自体が身体カバーを備えるものであるので、部品点数を少なくすることができる。特に、開いた状態および折畳み状態を実現できる育児器具にあっては、その両状態において、身体カバーは座席内に都合よく収まる。また、身体カバーは、座部の両側縁および背もたれ部の両側縁から中央に向かって延在しているので、子供のほぼ身体全体を保温することができる。さらに、身体カバーは座部および背もたれ部の両側縁部に接続されているので、隙間風の侵入を効果的に防止できる。身体カバーの材質を適宜選んで暑い季節でも使用することができるようにすれば、子供の身体を紫外線から守ることができる。
【００１１】
一つの実施形態では、座席形成部材の背もたれ部は、その両側縁から起立した１対の側壁を含む。この場合、身体カバーは、好ましくは、１対の側壁の上端部から中央に向かって延在する。このような構成であれば、身体カバーと座面または背もたれ面との間に、子供を収容するための大きな空間を作ることができる。より大きな子供収容空間を作り、また、身体カバーの上にも子供を着座させることができるようにするために、好ましくは、身体カバーは、背もたれ部の１対の側壁および背もたれ面に沿ってＵ字状に延在するように作る。
【００１２】
好ましくは、身体カバーの前方端縁と座部の前方端縁とは、開放可能に接続されている。このようにすれば、子供が成長して大きくなった場合、身体カバーの前方端縁と座部の前方端縁とを開放して、脚が窮屈になるのを避けることができる。
【００１３】
一つの実施形態では、身体カバーは、座部および背もたれ部に着脱可能に接続されている。具体例として、身体カバーの両側縁と、座部および背もたれ部の両側縁とを着脱可能に接続する。このようにすれば、例えば、寒い季節には身体カバーを取り付け、暑い季節に身体カバーを取り外すことができる。
【００１４】
このましくは、身体カバーの上方端縁は、子供の頭部を露出させるためにＵ字状に切り込まれた首部と、この首部の上方端から両側方に延びて背もたれ部の上方端縁に接続される上端接続部とを含む。このような構成であれば、子供の肩部も冷気から護ることができる。また、肩部の上部は閉じられているので、隙間風の侵入を防止できる。
【００１５】
一つの実施形態では、身体カバーは、その上方端縁から下方に向かって切り込まれた切り込み部を有している。この切り込み部によって左右に分かれる部分は、例えば防寒の観点から、着脱可能に接続されている。具体例として、身体カバーの上方端縁中央から下方に向かって延びているスライドファスナを設けるようにしても良い。このような構成であれば、スライドファスナを下方に引き下げて身体カバーの中央部を開放できるので、子供を身体カバーの下に容易に導くことができるし、座部から容易に抱き上げることができる。
【００１６】
また、一つの実施形態では、身体カバーは、その上方端縁からＵ字状に切り込まれた首部を有し、首部を除く身体カバーの周縁は、座部および背もたれ部に着脱可能に接続されている。このようにすれば、身体カバーのほぼ全周縁からの隙間風の侵入を防止できる。着脱可能に接続するための手段として、例えば、スライドファスナを使用できる。
【００１７】
座席形成部材は、例えば、乳母車の車体に取付けられて座席を形成する座席ハンモックである。この場合、好ましくは、身体カバーは、乳母車に装備された股ベルトおよび腰ベルトを挿通させるためのスリットを有する。このような構成であれば、たとえば、暑い季節においても、身体カバーを取り外すことなく、身体カバーの上に子供を乗せるようにすることができる。一つの実施形態では、身体カバーは、その上方端縁から股ベルト挿通用スリットにまで切り込まれた切り込み部を有し、この切り込み部によって左右に分かれる部分は、着脱可能に接続されている。
【００１８】
【発明の実施の形態】
図１〜図４を参照して、この発明の一実施形態を説明する。この実施形態では、育児器具の一例として乳母車を示し、座席形成部材の一例として、乳母車の車体に取付けられて座席を形成する座席ハンモックを示している。
【００１９】
座席ハンモック１は、図３および図４に示すように乳母車の車体２０に固定されて、子供を着座させる座席を形成する。図１および図２に示すように、座席ハンモック１は、座部２と、背もたれ部３と、身体カバー１０とを備える。図示した実施形態では、身体カバー２は取り外し可能に設けられている。図２は、身体カバー２を取り外した状態を示している。
【００２０】
身体カバー１０は、座部２の両側縁２ａおよび背もたれ部３の両側縁３ａから中央に向かって延在してこれらの座部２および背もたれ部３を覆っている。
【００２１】
座席ハンモック１の背もたれ部３は、乳母車の車体２０に取付けられた際にその両側縁から起立する１対の側壁４を含む。この場合、好ましくは、前述した身体カバー１０の両側縁１０ａは、側壁４の上端部に接続される。図１および図２に示す座席ハンモック１の展開状態では、側壁４は水平に延在する。したがって、使用状態においては、身体カバー１０は、１対の側壁４および背もたれ面に沿ってＵ字状に延在する。
【００２２】
なお、本明細書においては、側壁４は背もたれ部３の一部を構成し、背もたれ部３の側縁３ａは側壁４の上端部を含むものとして理解されねばならない。
【００２３】
図１および図２に示すように、背もたれ部３の両側部から１対の側方張出部５が突出して延びている。この側方張出部５は、図３および図４に示すように、乳母車２０の押棒２３に連結される。
【００２４】
図示した実施形態では、身体カバー１０の両側縁１０ａは、例えばスライドファスナを介して、背もたれ部３の両側縁３ａおよび座部２の両側縁２ａに着脱可能に接続されている。また、身体カバー１０の前方端縁１０ｂは、例えばスライドファスナを介して、座部２の前方端縁２ｂに着脱可能に接続されている。スライドファスナは、互いに係合する係合レール１３ａ、１３ｂと、スライダ１４とを含む。一方の係合レール１３ａは身体カバー１０に設けられ、他方の係合レール１３は座部２および背もたれ部３に設けられている。
【００２５】
図１から明らかなように、身体カバー１０の上方端縁は、Ｕ字状に切り込まれた首部１０ｃと、この首部１０ｃの上方端から両側方に延びて背もたれ部３の上方端縁３ｂに接続された上端接続部１０ｄとを有する。身体カバー１０の上端接続部１０ｄと背もたれ部３の上方端縁３ｂとは、例えばスライドファスナを介して着脱可能に接続される。図示した実施例では、首部１０ｃを除く身体カバー１０の周縁は、共通のスライドファスナを介して、座部２および背もたれ部３に着脱可能に接続されている。
【００２６】
図１に示すように、身体カバー１０は、身体カバー１０の首部１０ｃの中央から下方に向かって延びている中央スライドファスナを有する。この中央スライドファスナは、係合レール１１とスライダ１２とを含む。
【００２７】
図２に示すように、座部２には、股ベルト２１（図４参照）を挿通させるためのスリット６と、腰ベルト２２を挿通させるためのスリット７が設けられている。腰ベルト２２を挿通させるためのスリットは、座部２と背もたれ部３との境界、あるいは、背もたれ部３の下方領域に設けるようにしてもよい。
【００２８】
図１および図３に示すように、身体カバー１０にも、股ベルト２１を挿通させるためのスリット１５と、腰ベルト２２を挿通させるためのスリット１６が設けられている。前述した中央スライドファスナの下方端は、身体カバー１０のスリット１５にまで延びている。
【００２９】
次に、座席ハンモック１の使用方法および使用状態を説明する。
【００３０】
座席ハンモック１は、通常の方法で、乳母車の車体２０に取付けられる。車体２０によって下方および後方から支えられた座席ハンモック１は、子供を着座させるための座席を形成する。
【００３１】
寒い季節に子供を乳母車に乗せて外出しようとする場合、まず、身体カバー１０の中央スライドファスナのスライダ１２を下方に引き下げて身体カバー１０の前方を大きく開き子供を座席に乗せる。その後、乳母車車体に取付けられて座部２のスリット６および７から引出されている股ベルト２１および腰ベルト２２を用いて、子供の身体を拘束する。最後に、中央スライドファスナのスライダ１２を上方に引き上げて身体カバー１０の前方を閉じる。
【００３２】
なお、子供の身体が大きく脚が窮屈であれば、図３に示すように、スライダ１４を移動操作して身体カバー１０の前方端縁１０ｂと座部２の前方端縁２ｂとを分離して開放する。
【００３３】
上記の操作によって、図３に示す状態が得られる。この状態では、身体カバー１０は、子供の頭部を除いて子供の身体全体を覆っているので、優れた保温効果を発揮できる。また、身体カバー１０の周縁部が、スライドファスナを介して、座部２および背もたれ部３に接続されているので、隙間風の侵入を効果的に防止できる。特に、身体カバー１０の上方端接続部１０ｄと背もたれ部３の上方端縁３ｂとが、スライドファスナを介して接続されているので、この部分からの冷気の侵入を防止して子供の肩部が冷えるのを防止できる。
【００３４】
また、図示した実施形態では、背もたれ部３は起立した１対の側壁４を含み、身体カバー１０は側壁４の上端部から中央に向かってほぼＵ字状に延在しているので、身体カバー１０と、背もたれ面または座面との間に子供を収容するための大きな空間を作ることができる。
【００３５】
暑い季節に子供を乳母車に乗せて外出しようとする場合、身体カバー１０の前方を閉じたままで、股ベルト２１および腰ベルト２２を身体カバー１０のスリット１５および１６から引出す。図４に示すように、身体カバー１０の上に子供を乗せ、股ベルト２１および腰ベルト２２によって子供の身体を拘束する。
【００３６】
図示した実施形態では、身体カバー１０は着脱可能に設けられているので、暑い季節になったとき、身体カバー１０を取り外すようにしてもよい。
【００３７】
以上のように、この発明の一実施形態によれば、防寒機能に優れた育児器具の座席形成部材を得ることができる。
【００３８】
なお、上記に説明し、かつ図示した実施形態は、この発明を例示的に説明したものであるので、この発明と同一の範囲内において、または均等の範囲内において種々の修正や変形を加えることが可能である。そのいくつかを、以下に例示的に列挙して説明する。
【００３９】
（１）暑い季節になったときに身体カバー１０を取り外して使うようにするのであれば、身体カバーに股ベルトおよび腰ベルトを挿通させるためのスリットを設けなくても良い。
【００４０】
（２）身体カバー１０を取り外し可能に構成するのではなく、座部および背もたれ部にしっかりと縫いつけるようにしても良い。
【００４１】
（３）身体カバー１０を着脱可能にするための手段として、スライドファスナに限られない。例えば、ボタン、面ファスナ等の多くの代替手段を採用できる。同様に、中央スライドファスナに代えて、ボタン、面ファスナ等を採用できる。
【００４２】
（４）身体カバーは、子供の腕を通すための穴を有するものであっても良い。
【００４３】
（５）身体カバーは、防寒を意図するものでなくてもよい。身体カバーの材質を適宜選んで暑い季節でも使用することができるようにすれば、子供の身体を紫外線から守ることができるようになる。
【００４４】
（６）図示した実施形態では、育児器具として乳母車を示し、座席形成部材として座席ハンモックを示した。育児器具として、乳母車以外もの、たとえばチャイルドシート等を使用することができるのは言うまでもない。また、座席形成部材として、剛性のある材料によって座席を形成するものもある。この場合でも、身体カバーを、剛性の有る座部および背もたれ部に接続するようにしてもよい。
【図面の簡単な説明】
【図１】この発明の一実施形態である座席ハンモックの展開状態を示す平面図である。
【図２】図１に示す状態から、身体カバーを取り外した状態を示す平面図である。
【図３】座席ハンモックの使用状態を示す斜視図である。
【図４】身体カバーの上に子供が乗っている状態を示す斜視図である。
【符号の説明】
１  座席ハンモック、２  座部、２ａ  側縁、２ｂ  前方端縁、３  背もたれ部、３ａ  側縁、３ｂ  上方端縁、４  側壁、５  側方張り出し部、６，７  スリット、１０  身体カバー、１０ａ  側縁、１０ｂ  前方端縁、１０ｃ  首部、１０ｄ  上端接続部、１１  係合レール、１２  スライダ、１３ａ，１３ｂ  係合レール、１４  スライダ、１５，１６  スリット、２０  乳母車車体、２１  股ベルト、２２  腰ベルト、２３  押棒。
【図１】
2004224282.tif 000003
【図２】
2004224282.tif 000004
【図３】
2004224282.tif 000005
【図４】
2004224282.tif 000006